(57)【要約】【課題】電線の接続作業性を向上させながら、筐体の小型化を図り得る中継コネクタを提供する。【解決手段】第一機器と複数の第二機器の間に介在されて、第一機器から出力される電源を複数の第二機器に供給する中継コネクタにおいて、主電線１１ａの中間部と分岐電線１１ｂをかしめ金具１４でかしめ固定して電気的に接続し、主電線１１ａの一端を第一機器に接続し、主電線１１ａの他端と分岐電線１１ｂの他端から各第二機器に電源を供給する。【選択図】図１
2018116899.tif 000002
【特許請求の範囲】
【請求項１】
第一機器と複数の第二機器の間に介在されて、第一機器から出力される電源を前記複数の第二機器に供給する中継コネクタにおいて、
主電線の中間部と分岐電線の一端をかしめ金具でかしめ固定して電気的に接続し、前記主電線の一端を前記第一機器に接続し、前記主電線の他端と前記分岐電線の他端とから前記第二機器に前記電源を供給することを特徴とする中継コネクタ。
【請求項２】
請求項１に記載の中継コネクタにおいて、
前記かしめ金具をＬ字型に形成し、該かしめ金具の一端側を前記主電線にかしめ固定し、該かしめ金具の他端側を前記分岐電線にかしめ固定して、前記主電線と分岐電線を電気的に接続したことを特徴とする中継コネクタ。
【請求項３】
請求項１に記載の中継コネクタにおいて、
前記かしめ金具で前記主電線に前記分岐電線を１カ所でかしめ固定して、前記主電線と前記分岐電線を電気的に接続したことを特徴とする中継コネクタ。
【請求項４】
請求項１に記載の中継コネクタにおいて、
前記かしめ金具は、直線状の主パイプと、該主パイプの中間部から該主パイプに対し交差する方向に延びる分岐パイプとを備え、前記主パイプに前記主電線を挿通してかしめ固定し、前記分岐パイプに前記分岐電線を挿通してかしめ固定して、前記主電線と前記分岐電線を電気的に接続したことを特徴とする中継コネクタ。
【請求項５】
請求項１乃至４のいずれか１項に記載の中継コネクタにおいて、
前記主電線と分岐電線のかしめ位置に、該主電線及び分岐電線の被覆を剥いで芯線を露出させた接続部を設けたことを特徴とする中継コネクタ。
【請求項６】
請求項１乃至５のいずれか１項に記載の中継コネクタにおいて、
前記第一機器は、インバータであることを特徴とする中継コネクタ。
【発明の詳細な説明】
【技術分野】
【０００１】
本発明は、電気自動車の電源配線を中継する中継コネクタに関するものである。
【背景技術】
【０００２】
電気自動車やハイブリッド車等では、インバータから高電圧の交流電力が高圧ハーネスを介して各種電気機器に供給される。インバータは、バッテリーから供給される直流電圧を所要の高電圧に変換して、各種電気機器に供給する。
【０００３】
図６に示すように、インバータ１から例えば暖房機２及びエアコン３に高電圧電源を供給する場合に、中継コネクタ４が介在されることがある。このような構成では、インバータ１からＰ極電線５ａとＮ極電線６ａからなる高圧ハーネス７を介して中継コネクタ４に高電圧電源が供給される。そして、中継コネクタ４からそれぞれ高圧ハーネス８，９を介して暖房機２及びエアコン３に高電圧電源が供給される。
【０００４】
高圧ハーネス８はＰ極電線５ｂとＮ極電線６ｂを備え、高圧ハーネス９はＰ極電線５ｃとＮ極電線６ｃを備えている。
このような構成により、インバータ１に接続される高圧ハーネスの本数を削減して、インバータ１の小型化が図られている。
【０００５】
図７に示すように、中継コネクタ４内では接続ターミナル１０に３本のＰ極電線５ａ〜５ｃの接続端がかしめ固定されている。同様に、３本のＮ極電線６ａ〜６ｃも共通の接続ターミナルにかしめ固定されている。
【０００６】
そして、インバータ１から高圧ハーネス７を介して中継コネクタ４に供給される高電圧電源は、中継コネクタ４から高圧ハーネス８，９を介して暖房機２及びエアコン３に供給される。
【０００７】
なお、上記従来技術に関連する先行文献として、特許文献１，２が知られている。
【先行技術文献】
【特許文献】
【０００８】
【特許文献１】特開２００４−１７１９５２号公報
【特許文献２】特開２０１４−１５０７２５号公報
【発明の概要】
【発明が解決しようとする課題】
【０００９】
上記のような中継コネクタでは、インバータ１から供給される高電圧電源を暖房機２及びエアコン３に中継するために、３本ずつのＰ極電線５ａ〜５ｃ、Ｎ極電線６ａ〜６ｃの端部をそれぞれ接続ターミナル１０にかしめ固定する必要がある。
【００１０】
従って、かしめ作業を６か所で行う必要があって、組み立て工数が増大するとともに、かしめ位置の間隔をかしめ作業の作業性を損なわないような間隔とすると、中継コネクタ４の筐体が大型化するという問題点がある。
【００１１】
なお、上記問題は、インバータ１以外の機器から複数の機器に電源を中継して供給する中継コネクタにおいても同様に生じる。
この発明はこのような事情に鑑みてなされたものであり、その目的は電線の接続作業性を向上させながら、筐体の小型化を図り得る中継コネクタを提供することにある。
【課題を解決するための手段】
【００１２】
上記課題を解決する中継コネクタは、第一機器と複数の第二機器の間に介在されて、第一機器から出力される電源を前記複数の第二機器に供給する中継コネクタにおいて、
主電線の中間部と分岐電線の一端をかしめ金具でかしめ固定して電気的に接続し、前記主電線の一端を前記第一機器に接続し、前記主電線の他端と前記分岐電線の他端とから前記第二機器に前記電源を供給することを特徴とする。
【００１３】
この構成により、主電線の中間部がかしめ金具で分岐電線に電気的に接続されて、主電線の一端に接続される第一機器から主電線の他端と分岐電線の他端に接続される第二機器に電源が供給される。
【００１４】
また、上記の中継コネクタにおいて、前記かしめ金具をＬ字型に形成し、該かしめ金具の一端側を前記主電線にかしめ固定し、該かしめ金具の他端側を前記分岐電線にかしめ固定して、前記主電線と前記分岐電線を電気的に接続することが好ましい。
【００１５】
この構成により、かしめ金具の両端をかしめると、主電線と分岐電線が電気的に接続される。
また、上記の中継コネクタにおいて、前記かしめ金具で前記主電線に前記分岐電線を１カ所でかしめ固定して、前記主電線と前記分岐電線を電気的に接続することが好ましい。
【００１６】
この構成により、１カ所のかしめ固定で主電線と分岐電線が電気的に接続される。
また、上記の中継コネクタにおいて、前記かしめ金具は、直線状の主パイプと、該主パイプの中間部から該主パイプに対し交差する方向に延びる分岐パイプとを備え、前記主パイプに前記主電線を挿通してかしめ固定し、前記分岐パイプに前記分岐電線を挿通してかしめ固定して、前記主電線と前記分岐電線を電気的に接続することが好ましい。
【００１７】
この構成により、主パイプに主電線を挿通してかしめ固定し、分岐パイプに分岐電線を挿通してかしめ固定すると、主電線と分岐電線が電気的に接続される。
また、上記の中継コネクタにおいて、前記主電線と分岐電線のかしめ位置に、該主電線及び分岐電線の被覆を剥いで芯線を露出させた接続部を設けることが好ましい。
【００１８】
この構成により、接続部にかしめ金具をかしめ固定すると、主電線と分岐電線が電気的に接続される。
また、上記の中継コネクタにおいて、前記第一機器は、インバータであることが好ましい。
【００１９】
この構成により、主電線の一端に接続されるインバータから主電線の他端と分岐電線の他端に接続される第二機器に電源が供給される。
【発明の効果】
【００２０】
本発明の中継コネクタによれば、電線の接続作業性を向上させながら、筐体の小型化を図ることができる。
【図面の簡単な説明】
【００２１】
【図１】第一の実施形態の電線の接続構成を示す正面図。
【図２】第一の実施形態のかしめ金具を示す斜視図。
【図３】第二の実施形態の電線の接続構成を示す正面図。
【図４】第三の実施形態の電線の接続構成を示す正面図。
【図５】第三の実施形態のかしめ金具を示す斜視図。
【図６】中継コネクタの使用例を示す概要図。
【図７】従来の中継コネクタの電線の接続構成を示す正面図。
【発明を実施するための形態】
【００２２】
（第一の実施形態）
この実施形態の中継コネクタとインバータ及び暖房機、エアコン等の機器を接続する構成は、図６と同様であり、同一構成部分は同一符号を付して説明する。
【００２３】
図１は、インバータから供給される高電圧電源を、例えば２台の機器に供給する中継コネクタ内でのＰ極電線の接続構造を示す。
Ｐ極電線を構成する主電線１１ａの中間部には、被覆を剥がして内部の芯線を露出させた接続部１２が形成されている。Ｐ極電線を構成する分岐電線１１ｂの端部にも被覆を剥がして芯線を露出させた接続部１３が形成されている。そして、接続部１２，１３がかしめ金具１４でかしめられて、電気的に接続されている。
【００２４】
図２に示すように、かしめ金具１４は導電性を備えた銅等の金属でＬ字状に形成されるとともに、その両端部に断面Ｖ字状のかしめ片１５ａ，１５ｂが形成されている。そして、かしめ片１５ａに接続部１２をかしめ固定し、かしめ片１５ｂに接続部１３をかしめ固定すると、主電線１１ａと分岐電線１１ｂが電気的に接続される。
【００２５】
Ｎ極電線に関しても、主電線１１ａと分岐電線１１ｂと同様な構成で電気的に接続される。
次に、上記のように構成された中継コネクタの作用を説明する。
【００２６】
主電線１１ａの一方の端部１６ａをインバータ１に接続し、他方の端部１６ｂをエアコン３に接続する。かしめ金具１４で主電線１１ａに接続された分岐電線１１ｂの端部１６ｃを暖房機２に接続する。Ｎ極電線も同様にしてその端部をインバータ１、エアコン３及び暖房機２に接続する。
【００２７】
すると、インバータ１から中継コネクタのＰ極電線である主電線１１ａと分岐電線１１ｂ及びＮ極電線を介してエアコン３及び暖房機２に高電圧電源が供給される。
上記のような中継コネクタでは、次に示す効果を得ることができる。
【００２８】
（１）かしめ金具１４でＰ極電線及びＮ極電線で２カ所ずつのかしめ作業を行うことにより、インバータ１から２つの機器への高電圧電源の供給を中継する中継コネクタの主電線１１ａと分岐電線１１ｂ及びＮ極電線を接続することができる。従って、図７に示す従来例に比して、かしめ箇所をＰ極電線とＮ極電線で２カ所ずつに削減することができるので、かしめ不良の発生確率を低減して、中継コネクタの動作信頼性を向上させることができる。
【００２９】
（２）かしめ金具１４は、Ｌ字状に形成されて、接続部１２，１３をかしめ片１５ａ，１５ｂでかしめる位置は、主電線１１ａの長手方向に若干ずれるとともに、かしめ方向ｆ１，ｆ２も互いに直交する方向となる。従って、図７に示す従来例に比して、かしめ治具の挿入が容易となり、かしめ位置の距離を確保する必要もないので、中継コネクタの筐体を小型化することができる。
【００３０】
（第二の実施形態）
図３は、第二の実施形態を示す。この実施形態の主電線１１ａと分岐電線１１ｂは、第一の実施形態と同様な構成である。そして、分岐電線１１ｂの接続部１３を直角方向に屈曲して主電線１１ａの接続部１２に沿わせ、この状態でかしめ金具１７で接続部１２，１３をかしめ固定する。すなわち、かしめ金具１７により主電線１１ａの接続部１２に分岐電線１１ｂの接続部１３を１カ所でかしめ固定して主電線１１ａと分岐電線１１ｂとを電気的に接続した。Ｎ極電線も同様に接続する。
【００３１】
このような構成により、Ｐ極電線とＮ極電線の双方において主電線１１ａと分岐電線１１ｂが電気的に接続されて、インバータ１からエアコン３及び暖房機２に高電圧電源を中継して供給する中継コネクタが構成される。
【００３２】
上記のような中継コネクタでは、次に示す効果を得ることができる。
（１）かしめ金具１７で１カ所のかしめ作業を行うことにより、インバータ１から２つの機器への高電圧電源の供給を中継する中継コネクタの主電線１１ａと分岐電線１１ｂを接続することができる。従って、図７に示す従来例に比して、かしめ箇所をＰ極電線とＮ極電線で１カ所ずつに削減することができるので、かしめ不良の発生確率を低減して、中継コネクタの動作信頼性を向上させることができる。
【００３３】
（２）また、かしめ治具の挿入が容易となり、かしめ位置の距離を確保する必要もないので、中継コネクタの筐体を小型化することができる。
（第三の実施形態）
図４及び図５は、第三の実施形態を示す。この実施形態の主電線１１ａと分岐電線１１ｂは、第一の実施形態と同様な構成である。
【００３４】
かしめ金具１８は、導電性を有する金属パイプでＴ字型に一体成型され、直線状に連通して主電線１１ａを挿通可能とした主パイプ１９ａと、主パイプ１９ａの中間部から主パイプ１９ａに交差（ここでは直交）する方向に延びる分岐パイプ１９ｂとを備えている。
【００３５】
そして、主パイプ１９ａに主電線１１ａを挿通して主パイプ１９ａ内に接続部１２を位置させ、分岐パイプ１９ｂに分岐電線１１ｂの接続部１３を挿入した状態で、主パイプ１９ａの両端部と、分岐パイプ１９ｂの端部がかしめ固定されている。Ｎ極電線についても、同様なかしめ金具１８により電気的に接続される。
【００３６】
このような構成により、主電線１１ａと分岐電線１１ｂはかしめ金具１８により電気的に接続されて、インバータ１からエアコン３及び暖房機２に高電圧電源を中継して供給する中継コネクタが構成される。
【００３７】
上記のような中継コネクタでは、次に示す効果を得ることができる。
（１）かしめ金具１８は、Ｔ字型に形成されて、接続部１２をかしめる位置は、主パイプ１９ａの両端部に位置するとともに、接続部１３をかしめる位置は、分岐パイプ１９ｂの端部に位置している。そして、接続部１２のかしめ方向ｆ３，ｆ４と接続部１３のかしめ方向ｆ５は互いに直交する方向となる。従って、図７に示す従来例に比して、かしめ治具の挿入が容易となり、かしめ位置の距離を確保する必用もないので、中継コネクタの筐体を小型化することができる。
【００３８】
なお、上記実施形態は以下のように変更してもよい。
・主電線１１ａに対し、かしめ金具により２本以上の分岐電線１１ｂを分岐させ、Ｎ極電線に関しても同様な構成とすることにより、３つ以上の機器に高電圧電源を供給する中継コネクタを形成することができる。
【００３９】
・上記実施形態では、インバータ１からエアコン３及び暖房機２に高電圧電源を中継して供給する中継コネクタに具体化した。これに限らず、インバータ１以外の第一機器から複数の第二機器に電源を中継して供給する中継コネクタに具体化してもよい。
【符号の説明】
【００４０】
１…第一機器（インバータ）、２…第二機器（暖房機）、３…第二機器（エアコン）、１１ａ…主電線、１１ｂ…分岐電線、１２，１３…接続部、１４，１７，１８…かしめ金具、１５ａ，１５ｂ…かしめ片、１９ａ…主パイプ、１９ｂ…分岐パイプ。
【図１】
2018116899.tif 000003
【図２】
2018116899.tif 000004
【図３】
2018116899.tif 000005
【図４】
2018116899.tif 000006
【図５】
2018116899.tif 000007
【図６】
2018116899.tif 000008
【図７】
2018116899.tif 000009